(57)【要約】【課題】外部衝撃及び振動による単位電池の損傷を防止することが可能な二次電池モジュールを提供する。【解決手段】間隔をおいて配列される単位電池と、単位電池の間に介在される第１隔壁と、単位電池の間に介在され、第１隔壁から離隔して形成された第２隔壁と、第１隔壁と第２隔壁との間に形成されたスペーサとを備える。上記スペーサは、本体と、本体より小さな大きさで本体の両面に突出して形成された突出部とを有してもよい。上記突出部には、突起が形成されてもよい。ここで、上記突起は、突出部の外周縁に位置し、本体の両面に形成されてもよい。【選択図】図１Ｂ
2011159617.tif 000002
【特許請求の範囲】
【請求項１】
間隔をおいて配列される単位電池と、
前記単位電池の間に介在される第１隔壁と、
前記単位電池の間に介在され、前記第１隔壁から離隔して形成された第２隔壁と、
前記第１隔壁と第２隔壁との間に形成されたスペーサと
を備えることを特徴とする、二次電池モジュール。
【請求項２】
前記スペーサは、
本体と、
前記本体より小さな大きさで前記本体の両面に突出して形成された突出部と
を有することを特徴とする、請求項１に記載の二次電池モジュール。
【請求項３】
前記突出部には、突起が形成されたことを特徴とする、請求項２に記載の二次電池モジュール。
【請求項４】
前記突起は、前記突出部の外周縁に位置し、前記本体の両面に形成されたことを特徴とする、請求項３に記載の二次電池モジュール。
【請求項５】
前記第１隔壁及び第２隔壁には、前記突起と対応する突起ホールが形成されたことを特徴とする、請求項３又は４に記載の二次電池モジュール。
【請求項６】
前記第１隔壁及び第２隔壁には、前記突起と対応する突起溝が形成されたことを特徴とする、請求項３又は４に記載の二次電池モジュール。
【請求項７】
前記第１隔壁及び第２隔壁には、前記突出部と対応する突出部ホールが形成されたことを特徴とする、請求項２に記載の二次電池モジュール。
【請求項８】
前記第１隔壁及び第２隔壁には、前記突出部と対応する突出部溝が形成されたことを特徴とする、請求項２に記載の二次電池モジュール。
【請求項９】
前記スペーサは、
本体と、
前記本体より小さな大きさで前記本体の一面に突出して形成された突出部と
を有することを特徴とする、請求項１に記載の二次電池モジュール。
【請求項１０】
前記突出部には、突起が形成されたことを特徴とする、請求項９に記載の二次電池モジュール。
【請求項１１】
前記突起は、前記突出部の外周縁に位置し、前記本体の一面に形成されたことを特徴とする、請求項１０に記載の二次電池モジュール。
【請求項１２】
前記第１隔壁又は第２隔壁には、前記突起と対応する突起ホールが形成されたことを特徴とする、請求項１０又は１１に記載の二次電池モジュール。
【請求項１３】
前記第１隔壁又は第２隔壁には、前記突起と対応する突起溝が形成されたことを特徴とする、請求項１０又は１１に記載の二次電池モジュール。
【請求項１４】
前記第１隔壁又は第２隔壁には、前記突出部と対応する突出部ホールが形成されたことを特徴とする、請求項９に記載の二次電池モジュール。
【請求項１５】
前記第１隔壁又は第２隔壁には、前記突出部と対応する突出部溝が形成されたことを特徴とする、請求項９に記載の二次電池モジュール。
【請求項１６】
前記第１隔壁及び第２隔壁は、金属板と前記金属板の表面に形成された酸化膜とを含んでなることを特徴とする、請求項１〜１５のいずれか１項に記載の二次電池モジュール。
【請求項１７】
前記金属板は、アルミニウムからなることを特徴とする、請求項１６に記載の二次電池モジュール。
【請求項１８】
前記スペーサは、絶縁体から形成されたことを特徴とする、請求項１〜１７のいずれか１項に記載の二次電池モジュール。
【請求項１９】
前記スペーサは、前記第１隔壁と第２隔壁との間に同じ間隔を維持して配列されたことを特徴とする、請求項１〜１８のいずれか１項に記載の二次電池モジュール。
【請求項２０】
前記第１隔壁及び第２隔壁の中央に配列されたスペーサホールの間隔は、エッジに配列されたスペーサホールの間隔より狭く配列されたことを特徴とする、請求項１に記載の二次電池モジュール。
【請求項２１】
間隔をおいて配列される単位電池と、
前記単位電池の間に介在される第１隔壁と、
前記単位電池の間に介在され、前記第１隔壁から離隔して形成された第２隔壁と、
前記第１隔壁と第２隔壁との間に形成されたスペーサと
を備え、
前記第１隔壁及び第２隔壁には、複数の突出部が形成されたことを特徴とする、二次電池モジュール。
【請求項２２】
前記スペーサには、突出部ホールが形成され、
前記突出部は、前記突出部ホールと結合されることを特徴とする、請求項２１に記載の二次電池モジュール。
【請求項２３】
前記第１隔壁及び第２隔壁は、前記突出部の外周縁に形成された突起を更に有し、
前記スペーサには、前記突起と対応する突起ホールが形成されたことを特徴とする、請求項２２に記載の二次電池モジュール。
【発明の詳細な説明】
【技術分野】
【０００１】
本発明は、二次電池モジュールに関する。
【背景技術】
【０００２】
近年、高エネルギー密度の非水電解液を利用した高出力二次電池が開発されている。この高出力二次電池は、大電力を必要とする機器、例えば、電気自動車などのモータ駆動に使用されうるように、複数の電池を直列に接続して大容量の二次電池を構成する。
【０００３】
二次電池は、様々な形状で製造されているが、代表的な形状には、円筒形、角形などの形状があり、一つの大容量二次電池（以下、明細書全般にわたって説明の便宜上、二次電池モジュールとする）は、通常、直列に接続される複数の二次電池（以下、明細書全般にわたって説明の便宜上、単位電池とする）からなる。
【発明の概要】
【発明が解決しようとする課題】
【０００４】
各々の単位電池の間には、熱伝達媒体として隔壁が介在され、このような隔壁を介して空気を流通させることによって、単位電池を冷却するようになる。単位電池が充填と放電とを繰り返す間に、多くの熱とスウェル（swelling）現象が発生するが、隔壁は、このような熱を効率的に放出させ、スウェル現象を最小化させなければならない。
【０００５】
そこで、本発明は、上記問題に鑑みてなされたものであり、本発明の目的とするところは、外部衝撃及び振動による単位電池の損傷を防止することが可能な、新規かつ改良された二次電池モジュールを提供することにある。
【課題を解決するための手段】
【０００６】
上記課題を解決するために、本発明のある観点によれば、間隔をおいて配列される単位電池と、単位電池の間に介在される第１隔壁と、単位電池の間に介在され、第１隔壁から離隔して形成された第２隔壁と、第１隔壁と第２隔壁との間に形成されたスペーサとを備える二次電池モジュールが提供される。
【０００７】
上記スペーサは、本体と、本体より小さな大きさで本体の両面に突出して形成された突出部とを有してもよい。上記突出部には、突起が形成されてもよい。ここで、上記突起は、突出部の外周縁に位置し、本体の両面に形成されてもよい。
【０００８】
上記第１隔壁及び第２隔壁には、突起と対応する突起ホールが形成されてもよい。上記第１隔壁及び第２隔壁には、突起と対応する突起溝が形成されてもよい。また、上記第１隔壁及び第２隔壁には、突出部と対応する突出部ホールが形成されてもよい。上記第１隔壁及び第２隔壁には、突出部と対応する突出部溝が形成されてもよい。
【０００９】
また、上記スペーサは、本体と、本体より小さな大きさで本体の一面に突出して形成された突出部とを有してもよい。上記突出部には、突起が形成されてもよい。ここで、上記突起は、突出部の外周縁に位置し、本体の一面に形成されてもよい。
【００１０】
上記第１隔壁又は第２隔壁には、突起と対応する突起ホールが形成されてもよい。上記第１隔壁又は第２隔壁には、突起と対応する突起溝が形成されてもよい。上記第１隔壁又は第２隔壁には、突出部と対応する突出部ホールが形成されてもよい。また、上記第１隔壁又は第２隔壁には、突出部と対応する突出部溝が形成されてもよい。
【００１１】
上記第１隔壁及び第２隔壁は、金属板と金属板の表面に形成された酸化膜とを含んでもよい。ここで、上記金属板は、アルミニウムからなってもよい。
【００１２】
上記スペーサは、絶縁体から形成されてもよい。上記スペーサは、第１隔壁と第２隔壁との間に同じ間隔を維持して配列されてもよい。
【００１３】
上記第１隔壁及び第２隔壁の中央に配列されたスペーサホールの間隔は、エッジに配列されたスペーサホールの間隔より狭く配列されてもよい。
【００１４】
また、上記課題を解決するために、本発明の別の観点によれば、間隔をおいて配列される単位電池と、単位電池の間に介在される第１隔壁と、単位電池の間に介在され、第１隔壁から離隔して形成された第２隔壁と、第１隔壁と第２隔壁との間に形成されたスペーサとを備え、第１隔壁及び第２隔壁には、複数の突出部が形成された二次電池モジュールが提供される。
【００１５】
上記スペーサには、突出部ホールが形成され、突出部は、突出部ホールと結合されてもよい。
【００１６】
上記第１隔壁及び第２隔壁は、突出部の外周縁に形成された突起をさらに含み、スペーサには、突起と対応する突起ホールが形成されてもよい。
【発明の効果】
【００１７】
以上説明したように本発明によれば、外部衝撃及び振動による単位電池の損傷を防止できる。
【図面の簡単な説明】
【００１８】
【図１Ａ】本発明の一実施例に係る二次電池モジュールを示す斜視図である。
【図１Ｂ】本発明の一実施例に係る二次電池モジュールを示す分解斜視図である。
【図１Ｃ】図１Ａに示す単位電池の断面図である。
【図１Ｄ】図１Ａに示す第１隔壁の斜視図である。
【図１Ｅ】図１Ａに示すスペーサの拡大図である。
【図１Ｆ】図１ＡのＡ−Ａ’に沿う二次電池モジュールを示す断面図である。
【図２】本発明の他の実施例に係る二次電池モジュールを示す分解斜視図である。
【図３Ａ】本発明の他の実施例に係る二次電池モジュールのうち、第１隔壁の斜視図である。
【図３Ｂ】本発明の他の実施例に係る二次電池モジュールを示す断面図である。
【図４Ａ】本発明の他の実施例に係る二次電池モジュールを示す断面図である。
【図４Ｂ】図４Ａに示す第１隔壁及び第２隔壁の斜視図である。
【図４Ｃ】図４Ａに示すスペーサの斜視図である。
【図５】本発明の他の実施例に係る二次電池モジュールを示す断面図である。
【図６Ａ】本発明の他の実施例に係る二次電池モジュールを示す分解斜視図である。
【図６Ｂ】図６Ａに示す第１隔壁の斜視図である。
【図６Ｃ】図６Ａに示すスペーサの拡大図である。
【図６Ｄ】本発明の他の実施例に係る二次電池モジュールを示す断面図である。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
図１Ａは、本発明の一実施例に係る二次電池モジュールを示す斜視図で、図１Ｂは、本発明の一実施例に係る二次電池モジュールを示す分解斜視図である。図１Ｃは、図１Ａに示す単位電池の断面図であり、図１Ｄは、図１Ａに示す第１隔壁の斜視図であり、図１Ｅは、図１Ａに示すスペーサの拡大図である。図１Ｆは、図１ＡのＡ−Ａ’に沿う二次電池モジュールを示す断面図である。
【００２１】
図１Ａ〜図１Ｆに示すように、本発明の一実施例に係る二次電池モジュール１００は、単位電池１１０、第１隔壁１２０、第２隔壁１３０及びスペーサ１４０を含む。
【００２２】
単位電池１１０は、陽極板１１１と陰極板１１２及び陽極板１１１と陰極板１１２との間に介在されたセパレーター１１３からなる電極組立体１１４、電極組立体の収容される空間を有するケース１１５、ケースと結合されてこれを密閉するキャッププレート１１６、及び陽／陰極板１１１、１１２と電気的に接続され、キャッププレート１１６の外側に突出する陽／陰極端子１１７、１１８を含む。
【００２３】
陽極板１１１は、アルミニウムのような金属フォイルから形成された陽極集電体に遷移金属酸化物などの陽極活物質を塗布することによって形成され、陽極活物質の塗布されない領域である陽極無地部１１１ａを含む。陽極無地部１１１ａは、陽極板１１１の長さ方向に沿って陽極板１１１の側面に形成され、陽極無地部１１１ａは、陽極板１１１と陽極端子１１７との間の電流流れの通路となる。一方、本発明では、陽極板１１１の材質を限定するものではない。
【００２４】
陰極板１１２は、ニッケル又は銅のような金属ホイルから形成された陰極集電体に黒鉛又は炭素などの陰極活物質を塗布することによって形成され、陰極活物質の塗布されない領域である陰極無地部１１２ａを含む。陰極無地部１１２ａは、陰極板１１２の長さ方向に沿って陰極板１１２の側面に形成され、陰極無地部１１２ａは、陰極板１１２と陰極端子１１８との間の電流流れの通路となる。一方、本発明では、陰極板１１２の材質を限定するものではない。
【００２５】
セパレーター１１３は、陽極板１１１と陰極板１１２との間に位置して短絡を防止し、リチウムイオンの移動を可能にする機能を果たし、ポリエチレン、ポリプロフィレン、又はポリエチレンとポリプロフィレンとの複合フィルムからなっている。一方、本発明においてセパレーター１１３の材質を限定するものではない。
【００２６】
電極組立体１１４は、陽極板１１１と陰極板１１２及び陽極板１１１と陰極板１１２との間に介在されて、陽極板１１１と陰極板１１２とを電気的に絶縁させるセパレーター１１３がゼリーロール形状に巻き取られて形成されることができる。また、電極組立体１１４は、角形ケース１１５に内蔵されうるようにプレスなどで平らに加圧されうる。
【００２７】
ケース１１５は、アルミニウム、アルミニウム合金又はニッケルのメッキされたスチールのような導電性金属から形成され、電極組立体１１４、陽極端子１１７、陰極端子１１８及び電解液（図示せず）の収容されうる開口部の形成された略六面体状からなる。図１Ｃにおいて、ケース１１５とキャッププレート１１６とが結合された状態で示されているので、開口部が示されていないが、キャッププレート１１６の周り部分が実質的に開放された部分である。一方、ケース１１５の内面は絶縁処理されて、電極組立体１１４、陽極端子１１７及び陰極端子１１８と電気的に絶縁される。
【００２８】
キャッププレート１１６は、ケース１１５の開口を密封し、ケース１１５と同じ材質から形成されることができる。また、図示していないが、キャッププレート１１６は、電解液注液口を塞ぐプラグ（図示せず）及び安全ベント（図示せず）を含むことができる。
【００２９】
陽極端子１１７は、陽極板１１１と電気的に接続され、キャッププレート１１６の外側に突出する。すなわち、陽極端子１１７の一方は、陽極無地部１１１ａに溶接されて陽極板１１１と接続され、他方は、キャッププレート１１６を貫通して外側に突出する。
【００３０】
陰極端子１１８は、陰極板１１２と電気的に接続され、キャッププレート１１６の外側に突出する。すなわち、陰極端子１１８の一方は、陰極無地部１１２ａに溶接されて陰極板１１２と接続され、他側は、キャッププレート１１６を貫通して外側に突出する。
【００３１】
第１隔壁１２０は、単位電池の間１１０に介在され、第１隔壁１２０の一面は、単位電池１１０の一面に結合される。第１隔壁１２０は、単位電池１１０の一面の大きさと同一であるか、又は小さくありうる。
【００３２】
また、第１隔壁１２０は、金属板１２０ａと金属板１２０ａの表面に形成された酸化膜１２０ｂとからなる。金属板１２０ａは、アルミニウムから形成され、このような金属板１２０ａは、熱伝導性に優れているから、単位電池１１０を効率的に冷却させることができる。酸化膜１２０ｂは、金属板１２０ａの表面に陽極酸化（anodizing）処理して被膜が形成されたものである。ここで、陽極酸化は、アルミニウム部品を電解液から陽極とし、通電すると陽極から発生する酸素によってアルミニウムの表面が酸化されて酸化アルミニウム（Ａｌ２Ｏ３）の被膜が生じるようになる。陽極酸化の最も代表的な素材は、アルミニウムであり、その他にマンガン（Ｍｎ）、亜鉛（Ｚｎ）、チタン（Ｔｉ）、ハフニウム（Ｈｆ）及びニオブ（Ｎｂ）などの金属素材上にも陽極酸化処理を施すことができる。このような酸化膜１２０ｂは、極めて硬く、耐食性及び耐摩耗性に優れている。すなわち、第１隔壁１２０は、熱伝導性に優れたアルミニウムから形成されて、単位電池１１０から発生する熱を効率的に放出でき、表面に酸化膜１２０ｂを形成して、単位電池１１０との電気的な短絡を防止することができる。
【００３３】
また、第１隔壁１２０には、スペーサ１４０と対応するスペーサホール１２１が同じ間隔を維持して配列されている。スペーサホール１２１は、スペーサ１４０の突出部１４２と対応する突出部ホール１２１ａと突出部１４２に形成された突起１４２ａと対応する突起ホール１２１ｂとから形成される。第１隔壁１２０に形成されたスペーサホール１２１にスペーサ１４０が挟まれる。ここで、突起ホール１２１ｂに突起１４２ａが挟まれることによって、スペーサ１４０は、動かなく固定されうる。
【００３４】
第２隔壁１３０は、単位電池１１０の間に介在され、第１隔壁１２０から離隔して形成される。また、第２隔壁１３０には、スペーサ１４０と対応するスペーサホール１３１が同じ間隔を維持して配列されている。すなわち、第１隔壁１２０のスペーサホール１２１と第２隔壁１３０のスペーサホール１３１と対応する。
【００３５】
第２隔壁１３０は、第１隔壁１２０と同じ形状を有し、同じ機能を果たすので、重複した説明は省略する。
【００３６】
スペーサ１４０は、第１隔壁１２０と第２隔壁１３０との間に形成される。スペーサ１４０は、本体１４１及び本体１４１より小さな大きさで本体１４１の両面に突出して形成された突出部１４２を含む。スペーサ１４０は、第１隔壁１２０及び第２隔壁１３０に形成されたスペーサホール１２１、１３１に挟まれる。スペーサ１４０は、絶縁体から形成されて単位電池１１０との電気的な短絡を防止することができる。スペーサ１４０は、プラスチック又はシリコンから形成されうるが、本発明ではその材質を限定するものではない。
【００３７】
本体１４１は、円形に形成され、一定の厚さを有する。本発明では、本体１４１を円形に示したが、本体１４１は、円形に限定されず、三角形、四角形、五角形など多様な形態に変形できる。
【００３８】
突出部１４２は、本体１４１の両面に突出し、その突出した厚さは、本体１４１の厚さより薄い。また、突出部１４２の外周縁には、突起１４２ａが形成される。突起１４２ａは、突出部１４２と同様に、本体１４１の両面に形成される。すなわち、突起１４２ａは、突出部１４２の中心から外側の方向に向けて本体１４１に形成される。突出部１４２は、突出部ホール１２１ａと結合される。突出部１４２は、突出部ホール１２１ａに挟まれて、単位電池１１０に密着される。突起１４２ａは、突起ホール１２１ｂに結合される。突起１４２ａは、突起ホール１２１ｂに挟まれて単位電池１１０に密着され、突起１４２ａは、スペーサ１４０を固定させる機能を果たす。
【００３９】
すなわち、スペーサ１４０は、突出部１４２及び突起１４２ａが突出部ホール１２１ａ及び突起ホール１２１ｂに挟まれることによって、第１隔壁１２０と結合される。
【００４０】
上述の構成によって、単位電池１１０の一面には、第１隔壁１２０が結合され、他面には、第２隔壁１３０が結合される。また、第１隔壁１２０及び第２隔壁１３０に形成されたスペーサホール１２１、１３１には、スペーサ１４０が結合される。すなわち、単位電池１１０は、第１隔壁１２０、第２隔壁１３０及びスペーサ１４０を介して面接触されて、振動及び外部衝撃による単位電池１１０の損傷を防止することができる。また、第１隔壁１２０と第２隔壁１３０との間にスペーサ１４０を介在することによって、単位電池１１０から発生する熱を放出することのできる冷却通路を形成することができる。
【００４１】
このように、本発明の一実施例に係る二次電池モジュール１００は、単位電池１１０と隔壁１２０、１３０とが面接触されることで、外部衝撃及び振動による単位電池１１０の損傷を防止することができる。
【００４２】
また、本発明の一実施例に係る二次電池モジュール１００は、隔壁１２０、１３０の間に同じ間隔でスペーサ１４０を介在して冷却通路を形成することによって、単位電池１１０から発生する熱を外部に放出させることができる。
【００４３】
次に、本発明の他の実施例に係る二次電池モジュールについて説明する。図２は、本発明の他の実施例に係る二次電池モジュールを示す分解斜視図である。
【００４４】
本発明の他の実施例に係る二次電池モジュール２００は、図１Ａ〜図１Ｆに示された二次電池モジュール１００と比較して、第１隔壁２２０及び第２隔壁２３０の形態のみが異なり、同じ構成を有し、同じ機能を果たす。これにより、本発明の他の実施例に係る二次電池モジュール２００において同じ構成についての重複した説明は省略し、第１隔壁２２０及び第２隔壁２３０について重点的に説明する。
【００４５】
図２に示すように、第１隔壁２２０は、単位電池１１０の間に介在され、第１隔壁２２０の一面は、単位電池１１０の一面に結合される。
【００４６】
第１隔壁２２０には、スペーサ１４０と対応するスペーサホール２２１が複数配列される。第１隔壁２２０の中央に配列されたスペーサホール２２１の間隔は、第１隔壁２２０のエッジに配列されたスペーサホール２２１の間隔より狭く配列されうる。すなわち、第１隔壁２２０の中央には、スペーサホール２２１が密集して形成されることができる。
【００４７】
第１隔壁２２０に形成されたスペーサホール２２１にスペーサ１４０が挟まれる。上述のように、第１隔壁２２０の中央にスペーサホール２２１が密集して形成されると、スペーサ１４０も、第１隔壁２２０の中央に密集して形成される。
【００４８】
一般に、単位電池１１０は、充放電によるスウェル（swelling）現象が発生するようになる。このようなスウェル現象は、単位電池１１０の中央から現れるようになる。したがって、上述のように、第１隔壁２２０の中央にスペーサ１４０を密集させると、単位電池１１０のスウェル現象を最小化することができる。
【００４９】
第２隔壁２３０は、第１隔壁２２０と同じ形状を有し、同じ機能を果たすので、重複した説明は省略する。
【００５０】
このように、本発明の他の実施例に係る二次電池モジュール２００は、単位電池１１０と隔壁２２０、２３０とが面接触されることで、外部衝撃及び振動による単位電池１１０の損傷を防止することができる。
【００５１】
また、本発明の他の実施例に係る二次電池モジュール２００は、隔壁２２０、２３０の中央にスペーサ１４０を密集させて形成することによって、単位電池１１０のスウェル現象を最小化することができる。
【００５２】
次に、本発明の他の実施例に係る二次電池モジュールについて説明する。図３Ａは、本発明の他の実施例に係る二次電池モジュールのうち、第１隔壁の斜視図であり、図３Ｂは、本発明の他の実施例に係る二次電池モジュールを示す断面図である。
【００５３】
本発明の他の実施例に係る二次電池モジュール３００は、図１Ａ〜図１Ｆに示す二次電池モジュール１００と比較して、第１隔壁３２０及び第２隔壁３３０の形態のみが異なり、同じ構成を有し、同じ機能を果たす。これにより、本発明の他の実施例に係る二次電池モジュール３００において同じ構成についての重複した説明は省略し、第１隔壁３２０及び第２隔壁３３０について重点的に説明する。
【００５４】
図３Ａ及び図３Ｂに示すように、第１隔壁３２０は、単位電池１１０の間に介在され、第１隔壁３２０の一面は、単位電池１１０の一面に結合される。
【００５５】
また、第１隔壁３２０には、スペーサ１４０と対応するスペーサ溝３２１が同じ間隔を維持して配列されている。スペーサ溝３２１は、突出部１４２と対応する突出部溝３２１ａと、突起１４２ａと対応する突起溝３２１ｂとから形成される。第１隔壁３２０に形成されたスペーサ溝３２１にスペーサ１４０が挟まれる。ここで、突起溝３２１ｂに突起１４２ａが挟まれることによって、スペーサ１４０は、動かなく固定されうる。
【００５６】
第２隔壁３３０は、単位電池１１０の間に介在され、第１隔壁３２０から離隔して形成される。また、第２隔壁３３０には、スペーサ１４０と対応するスペーサ溝３３１が同じ間隔を維持して配列されている。すなわち、第１隔壁３２０のスペーサ溝３２１と第２隔壁３３０のスペーサ溝３３１と対応する。
【００５７】
第２隔壁３３０は、第１隔壁３２０と同じ形状を有し、同じ機能を果たすので、重複した説明は省略する。
【００５８】
このように、本発明の他の実施例に係る二次電池モジュール３００は、単位電池１１０と隔壁３２０、３３０とが面接触されることによって、外部衝撃及び振動による単位電池１１０の損傷を防止することができる。
【００５９】
また、本発明の他の実施例に係る二次電池モジュール３００は、隔壁３２０、３３０の間に同じ間隔でスペーサ１４０を介在して冷却通路を形成することによって、単位電池１１０から発生する熱を外部に放出させることができる。
【００６０】
次に、本発明の他の実施例に係る二次電池モジュールについて説明する。図４Ａは、本発明の他の実施例に係る二次電池モジュールを示す断面図であり、図４Ｂは、図４Ａに示す第１隔壁及び第２隔壁の斜視図であり、図４Ｃは、図４Ａに示すスペーサの斜視図である。
【００６１】
本発明の他の実施例に係る二次電池モジュール４００は、図１Ａ〜図１Ｆに示す二次電池モジュール１００とほぼ同一である。したがって、ここでは、その差異点についてのみ説明する。
【００６２】
図４Ａ〜図４Ｃに示すように、本発明の他の実施例に係る二次電池モジュール４００は、単位電池１１０、第１隔壁４２０、第２隔壁１３０及びスペーサ４４０を含む。
【００６３】
第１隔壁４２０は、単位電池１１０の間に介在され、平らな長方形の板状に形成される。第１隔壁４２０の一面は、単位電池１１０の一面に結合され、第１隔壁４２０の他面は、スペーサ４４０に突出部４４２の形成されない面と結合される。
【００６４】
第２隔壁１３０は、単位電池１１０の間に介在され、第１隔壁４２０から離隔して形成される。また、第２隔壁１３０には、スペーサ４４０と対応するスペーサホール１３１が同じ間隔を維持して配列されている。
【００６５】
ここで、第１隔壁４２０と第２隔壁１３０とは、逆に形成されることができる。
【００６６】
スペーサ４４０は、第１隔壁４２０と第２隔壁１３０との間に形成される。スペーサ４４０は、本体４４１及び本体４４１より小さな大きさで本体４４１の一面に突出して形成された突出部４４２を含む。スペーサ４４０は、第２隔壁１３０に形成されたスペーサホール１３１に挟まれる。スペーサ４４０は、絶縁体から形成されて、単位電池１１０との電気的な短絡を防止することができる。
【００６７】
突出部４４２は、本体４４１の一面に突出して、その突出した厚さは、本体４４１の厚さより薄い。また、突出部４４２の外周縁には、突起４４２ａが形成される。突起４４２ａは、突出部４４２と同様に、本体４４１の一面に形成される。すなわち、スペーサ４４０は、突出部４４２及び突起４４２ａが突出部ホール１３１ａ及び突起ホール１３１ｂに挟まれることによって、第２隔壁１３０と結合される。
【００６８】
このように、本発明の他の実施例に係る二次電池モジュール４００は、単位電池１１０と隔壁４２０、１３０とが面接触されることによって、外部衝撃及び振動による単位電池１１０の損傷を防止することができる。
【００６９】
また、本発明の他の実施例に係る二次電池モジュール４００は、隔壁４２０、１３０の間に同じ間隔でスペーサ４４０を介在して冷却通路を形成することによって、単位電池１１０から発生する熱を外部に放出させることができる。
【００７０】
次に、本発明の他の実施例に係る二次電池モジュールについて説明する。図５は、本発明の他の実施例に係る二次電池モジュールを示す断面図である。
【００７１】
本発明の他の実施例に係る二次電池モジュール５００は、図３Ｂに示す二次電池モジュール３００とほぼ同一である。したがって、ここでは、その差異点についてのみ説明する。
【００７２】
図５に示すように、本発明の他の実施例に係る二次電池モジュール５００は、単位電池１１０、第１隔壁５２０、第２隔壁３３０及びスペーサ４４０を含む。
【００７３】
第１隔壁５２０は、単位電池１１０の間に介在され、平らな長方形の板状に形成される。第１隔壁５２０の一面は、単位電池１１０の一面に結合され、第１隔壁５２０の他面は、スペーサ４４０に突出部４４２の形成されない面と結合される。
【００７４】
第２隔壁３３０は、単位電池１１０の間に介在され、第１隔壁５２０から離隔して形成される。また、第２隔壁３３０には、スペーサ４４０と対応するスペーサ溝３３１が同じ間隔を維持して配列されている。
【００７５】
ここで、第１隔壁５２０と第２隔壁３３０とは、逆に形成されることができる。
【００７６】
スペーサ４４０は、第１隔壁５２０と第２隔壁３３０との間に形成される。スペーサ４４０は、本体４４１及び本体４４１より小さな大きさで本体４４１の一面に突出して形成された突出部４４２を含む。スペーサ４４０は、第２隔壁３３０に形成されたスペーサ溝３３１に挟まれる。スペーサ４４０は、絶縁体から形成されて、単位電池１１０との電気的な短絡を防止することができる。
【００７７】
このように、本発明の他の実施例に係る二次電池モジュール５００は、単位電池１１０と隔壁５２０、３３０とが面接触されることで、外部衝撃及び振動による単位電池１１０の損傷を防止することができる。
【００７８】
また、本発明の他の実施例に係る二次電池モジュール５００は、隔壁５２０、３３０の間に同じ間隔でスペーサ４４０を介在して冷却通路を形成することによって、単位電池１１０から発生する熱を外部に放出させることができる。
【００７９】
次に、本発明の他の実施例に係る二次電池モジュールについて説明する。図６Ａは、本発明の他の実施例に係る二次電池モジュールを示す分解斜視図である。図６Ｂは、図６Ａに示す第１隔壁の斜視図であり、図６Ｃは、図６Ａに示すスペーサの拡大図であり、図６Ｄは、本発明の他の実施例に係る二次電池モジュールを示す断面図である。
【００８０】
本発明の他の実施例に係る二次電池モジュール６００は、図１Ａ〜図１Ｆに示す二次電池モジュール１００とほぼ同一である。したがって、ここでは、その差異点についてのみ説明する。
【００８１】
図６Ａ〜図６Ｄに示すように、本発明の他の実施例に係る二次電池モジュール６００は、単位電池１１０、第１隔壁６２０、第２隔壁６３０及びスペーサ６４０を含む。
【００８２】
第１隔壁６２０は、単位電池１１０の間に介在され、第１隔壁６２０の一面は、単位電池１１０の一面に結合される。第１隔壁６２０は、単位電池１１０の一面の大きさと同一又は小さくありうる。第１隔壁６２０の一面には、外部に突出した複数の突出部６２２が形成される。突出部６２２は、スペーサ６４０に形成された突出部ホール６４２と結合される。
【００８３】
また、突出部６２２の外周縁には、突起６２２ａが形成される。突起６２２ａは、突出部６２２と同様に、第１隔壁６２０の一面に形成される。すなわち、突起６２２ａは、突出部６２２の中心から外側の方向に向けて第１隔壁６２０の一面に形成される。突起６２２ａは、スペーサ６４０に形成された突起溝６４２ａに結合される。ここで、突起６２２ａが突起溝６４２ａに挟まれることによって、スペーサ６４０は、動かなく固定されうる。
【００８４】
第２隔壁６３０は、単位電池１１０の間に介在され、第１隔壁６２０から離隔して形成される。第２隔壁６３０の一面には、突出部６３２が形成され、突出部６３２は、第１隔壁６２０の突出部６２２と接触できる。
【００８５】
第２隔壁６３０は、第１隔壁６２０と同じ形状を有し、同じ機能を果たすので、重複した説明は省略する。
【００８６】
スペーサ６４０は、第１隔壁６２０と第２隔壁６３０との間に形成される。スペーサ６４０には、突出部６２２と対応する突出部ホール６４２及び突起６２２ａと対応する突起ホール６４２ａが形成される。スペーサ６４０は、第１隔壁６２０及び第２隔壁６３０に形成された突出部６２２、６３２と結合される。
【００８７】
スペーサ６４０の厚さは、第１隔壁６２０の突出部６２２と第２隔壁６３０の突出部６３２との厚さを合せた厚さと同一又はそれより大きくありうる。図面では、スペーサ６４０の厚さが第１隔壁６２０の突出部６２２と第２隔壁６３０の突出部６３２との厚さを合せた厚さと同一の場合の例を示している。仮に、スペーサ６４０の厚さが第１隔壁６２０の突出部６２２と第２隔壁６３０の突出部６３２との厚さを合せた厚さより大きいと、第１隔壁６２０の突出部６２２と第２隔壁６３０の突出部６３２とは、接触しなくても良い。
【００８８】
このように、本発明の他の実施例に係る二次電池モジュール６００は、単位電池１１０と隔壁６２０、６３０とが面接触されることで、外部衝撃及び振動による単位電池１１０の損傷を防止することができる。
【００８９】
また、本発明の他の実施例に係る二次電池モジュール６００は、隔壁６２０、６３０の間に同じ間隔でスペーサ６４０を介在して冷却通路を形成することによって、単位電池１１０から発生する熱を外部に放出させることができる。
【００９０】
以上、本発明の上記実施例に係る二次電池モジュールは、単位電池と隔壁とが面接触されることによって生じる外部衝撃及び振動による単位電池の損傷を防止することができる。また、隔壁の間にスペーサを介在して冷却通路を形成することによって、単位電池から発生する熱を外部に放出させることができる。
【００９１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００９２】
１００、２００、３００、４００、５００、６００    二次電池モジュール
１１０    単位電池
１２０、２２０、３２０、４２０、５２０    第１隔壁
１２１、２２１    スペーサホール
１２１ａ    突出部ホール
１２１ｂ    突起ホール
１３０、２３０    第２隔壁
１３１、２３１    スペーサホール
１４０    スペーサ
１４１    本体
１４２    突出部
１４２ａ    突起
３２１    スペーサ溝
３２１ａ    突出部溝
３２１ｂ    突起溝
６２０    第１隔壁
６３０    第２隔壁
６２２、６３２    突出部
６２２ａ、６３２ａ    突起
６４０    スペーサ
６４２    突出部ホール
６４２ａ    突起ホール
【図１Ａ】
2011159617.tif 000003
【図１Ｂ】
2011159617.tif 000004
【図１Ｃ】
2011159617.tif 000005
【図１Ｄ】
2011159617.tif 000006
【図１Ｅ】
2011159617.tif 000007
【図１Ｆ】
2011159617.tif 000008
【図２】
2011159617.tif 000009
【図３Ａ】
2011159617.tif 000010
【図３Ｂ】
2011159617.tif 000011
【図４Ａ】
2011159617.tif 000012
【図４Ｂ】
2011159617.tif 000013
【図４Ｃ】
2011159617.tif 000014
【図５】
2011159617.tif 000015
【図６Ａ】
2011159617.tif 000016
【図６Ｂ】
2011159617.tif 000017
【図６Ｃ】
2011159617.tif 000018
【図６Ｄ】
2011159617.tif 000019